(57)【要約】【課題】電波干渉の影響が少ない場所への設置を設置者に促す。【解決手段】妨害電波検出手段３０が妨害電波受信アンテナ３１で受信した電波の周波数帯を特定し、特定した周波数帯が無線ＬＡＮで使用するものであるか否か妨害電波判定機能５１が判定し、妨害電波判定機能５１による判定の結果、無線ＬＡＮの周波数帯である場合には電波干渉レベル通知機能６１が設置者に対して電波干渉状態である旨を通知する。【選択図】図１
2012109833.tif 000002
【特許請求の範囲】
【請求項１】
無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置において、
前記無線ＬＡＮアンテナとは別に妨害電波を受信する妨害電波受信アンテナを有すると共に、当該妨害電波受信アンテナで受信した妨害電波の周波数帯を特定する周波数帯特定手段と、
前記周波数帯特定手段で特定した周波数帯は前記無線ＬＡＮ方式の通信で使用する周波数帯と同一であるか否かを判定する妨害電波判定手段と、
前記妨害電波判定手段によって前記無線ＬＡＮ方式の通信で使用する周波数帯と同一であると判定された場合に、当該無線ＬＡＮアクセスポイント装置の設置者に対して電波干渉状態であることを通知する電波干渉通知手段とを備えたことを特徴とする無線ＬＡＮアクセスポイント装置。
【請求項２】
請求項１に記載の無線ＬＡＮアクセスポイント装置において、
前記周波数特定手段に、前記妨害電波受信アンテナで受信した妨害電波を信号処理用の通信信号に変換し当該通信信号に基づいて通信方式の種類を特定する通信方式特定手段を併設すると共に、
前記妨害電波判定手段が、前記通信方式特定手段によって特定された通信方式の種類が無線ＬＡＮ方式であるか否かを判定する無線ＬＡＮ通信判定機能を有し、
前記電波干渉通知手段は、前記通信信号が前記無線ＬＡＮ通信判定機能によって無線ＬＡＮ方式であると判定された場合に前記設置者に対して他の無線ＬＡＮ機器の通信によって電波干渉状態であることを通知する無線ＬＡＮ信号干渉状態検出機能を有することを特徴とする無線ＬＡＮアクセスポイント装置。
【請求項３】
請求項２に記載の無線ＬＡＮアクセスポイント装置において、
前記妨害電波判定手段は、前記無線ＬＡＮ通信判定機能が前記妨害電波の種類を無線ＬＡＮ方式と判定した場合に、前記周波数特定手段で特定した周波数帯に基づいて周波数チャンネルを特定する周波数チャンネル特定機能を有すると共に、
前記電波干渉通知手段は、前記特定した周波数チャンネルが他の無線ＬＡＮ機器によって既に使用されていることを前記設置者に通知する使用中チャンネル通知機能を有することを特徴とする無線ＬＡＮアクセスポイント装置。
【請求項４】
請求項１に記載の無線ＬＡＮアクセスポイント装置において、
前記周波数特定手段に、前記受信した妨害電波の電界強度を特定する電界強度特定手段を併設すると共に、
前記妨害電波判定手段は、前記特定された電界強度が予め電界強度ごとに複数に分類された電波干渉レベルのうちのいずれに属するかを特定する電波干渉レベル特定機能を有し、
前記電波干渉通知手段は前記特定された電波干渉レベルを前記設置者に通知する電波干渉レベル通知機能を有することを特徴とする無線ＬＡＮアクセスポイント装置。
【請求項５】
無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置にあって、
前記無線ＬＡＮアンテナとは別に妨害電波を受信する妨害電波受信アンテナを有すると共に、当該妨害電波受信アンテナで受信した妨害電波の周波数帯を周波数帯特定手段が特定し、
前記周波数帯特定手段で特定した周波数帯は前記無線ＬＡＮ方式の通信で使用する周波数帯と同一であるか否かを妨害電波判定手段が判定し、
前記妨害電波判定手段によって前記無線ＬＡＮ方式の通信で使用する周波数帯と同一であると判定された場合に、当該無線ＬＡＮアクセスポイント装置の設置者に対して電波干渉状態であることを電波干渉通知手段が通知するようにしたことを特徴とする無線ＬＡＮアクセスポイント装置制御方法。
【請求項６】
無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置にあって、
前記無線ＬＡＮアンテナとは別に妨害電波を受信する妨害電波受信アンテナを有すると共に、当該妨害電波受信アンテナで受信した妨害電波の周波数帯を特定する周波数帯特定機能、
前記周波数帯特定手段で特定した周波数帯は前記無線ＬＡＮ方式の通信で使用する周波数帯と同一であるか否かを判定する妨害電波判定機能、
前記妨害電波判定手段によって前記無線ＬＡＮ方式の通信で使用する周波数帯と同一であると判定された場合に、当該無線ＬＡＮアクセスポイント装置の設置者に対して電波干渉状態であることを通知する電波干渉通知機能、
を実行可能にプログラム化し、これをコンピュータに実現させるようにしたことを特徴とする無線ＬＡＮアクセスポイント装置制御用プログラム。
【発明の詳細な説明】
【技術分野】
【０００１】
本発明は、無線ＬＡＮアクセスポイント装置に関し、特に利用者に対して電波干渉状態を通知する無線ＬＡＮアクセスポイント装置に関する。
【背景技術】
【０００２】
近年、インターネットなどのネットワークに接続する際に有線ケーブルではなく無線を使用することが多くなった。情報端末に内蔵または外付けされた無線ＬＡＮ（Local Area Network）子機と無線ＬＡＮ親機（アクセスポイントなど）とが所定の周波数帯の電波を使用して通信を行うことで、無線ＬＡＮアクセスポイント装置の電波が到達する範囲であれば、ケーブルを気にすることなく情報端末からネットワークに接続することができるという利点がある。
【０００３】
前述の無線ＬＡＮアクセスポイント装置を設置する際に、ＷＡＮ(Wide Area Network)側と接続する回線の位置などの都合により、無線ＬＡＮの通信に影響を及ぼす電波を発する電子機器等が近くにある場合でも、その電子機器に気付くことなく設置していた。このため、実際に無線ＬＡＮ通信を使用する段階で周囲から受けている電波によって電波干渉を起こし、無線ＬＡＮの通信品質が悪い場所に設置していることが初めてわかるという問題があった。
【０００４】
一般に電子レンジ、コードレス電話などは電波干渉を起こし、無線ＬＡＮの通信品質に影響を及ぼす可能性があることは知られている。しかし、そのほかの電子機器や違法電波などの妨害電波によっても、同様に電波干渉が起きるが、その事はあまり知られておらず、無線ＬＡＮアクセスポイント装置を設置する際、周囲の電子機器等との位置関係や環境を意識することは無いという場合が多い。また、電波は目に見えないものであるため、設置場所においてどの程度電波干渉の影響があるか分からないことが多い。
【０００５】
また、無線ＬＡＮアクセスポイント装置を設置する場所として、無線ＬＡＮへの影響などから、無線ＬＡＮアクセスポイント装置のマニュアルにはパソコンやコードレス電話機などから離してして設置するように記載されているが、利用する回線の多い場所や、部屋の広さなどの都合によって、必ずしも適切な場所に設置してもらえないということがある。
【０００６】
また、無線ＬＡＮアクセスポイント装置と同時に使用するモデムや、ルータ、ＨＵＢ等と、ひとまとめにして設置するといったことも多く、適切な場所への設置は難しいという課題もある。さらに周囲の電子機器により電波妨害を受けている場合においても、上述したように電波は目に見えないため実際に無線通信を実施しないと影響がわからないとことが多い。
【０００７】
さらに、最近の無線ＬＡＮアクセスポイント装置は、より高速且つより遠距離まで無線ＬＡＮ通信を可能にする設計であるため、電波に対する感度がよく、妨害電波などの影響を受け易くなっている場合が多い。しかし、装置の設置者は電波状態の良い場所に装置を設置することを意識しないことが多い。
【０００８】
これに対して、従来より具体的に知られている上記技術分野の内容としては、特許文献１乃至５がある。
【０００９】
特許文献１乃至３に開示された技術は、無線ＬＡＮアクセスポイント装置と情報端末とが通信を行い、通信データの劣化の度合いに基づいてどの程度妨害電波の影響を受けているかを情報端末上の表示部に表示する技術である。
【００１０】
また、特許文献４に開示された技術は、妨害電波の発生源の一つである電子レンジに特定の信号を電波によって出力する機能を備え、この信号を受信した無線ＬＡＮアクセスポイント装置が近くに電子レンジが設置されていることを利用者に通知し無線ＬＡＮアクセスポイント装置の設置場所を変更するように促す技術である。
【００１１】
さらに、特許文献５に開示された技術は、送受信アンテナを有した無線基地局にこの送受信アンテナとは別に受信専用アンテナを備え、送受信アンテナから電波を送信し受信専用アンテナでこの電波を受信することで、試験専用端末などを用意せずに基地局の故障を検知し、故障を検知した場合には運用周波数を変更する技術である。この技術は、故障の発見を目的とするものであり、本案と目的であるの目的が異なる。
【先行技術文献】
【特許文献】
【００１２】
【特許文献１】特開２００２−５１０５１
【特許文献２】特開２００７−２７９３２
【特許文献３】特開２００４−９６５９５
【特許文献４】特開２０００−２２４１７６
【特許文献５】特開平１０−２７６１２７
【発明の概要】
【発明が解決しようとする課題】
【００１３】
しかしながら、特許文献１および３に開示された技術は、他の無線端末との間で実際に通信を実施し、受信したデータから妨害電波のレベルや干渉状態を判定、通知するものであり、無線ＬＡＮアクセスポイント装置と端末とを通信可能なように設定し、実際に通信を行なわなければ電波干渉の状態が確認できないという不都合があった。
【００１４】
また、特許文献４に開示された技術は、無線ＬＡＮで使用する周波数帯の妨害電波を発生させる電子機器は電子レンジに限らずコードレス電話など数多く存在するため、全ての機器に同様の機能を持たせることは困難であるという不都合があった。
【００１５】
〔発明の目的〕
本発明は、上記関連技術の有する不都合を改善し、無線ＬＡＮアクセスポイント装置の設置に際して、実際に情報端末と通信を行うことなく設置場所の電波干渉状態を設置者に通知することが可能な無線ＬＡＮアクセスポイント装置を提供することをその目的とする。
【課題を解決するための手段】
【００１６】
上記目的を達成するため、本発明の無線ＬＡＮアクセスポイント装置は、無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置において、前記無線ＬＡＮアンテナとは別に妨害電波を受信する妨害電波受信アンテナを有すると共に、当該妨害電波受信アンテナで受信した妨害電波の周波数帯を特定する周波数帯特定手段と、前記周波数帯特定手段で特定した周波数帯は前記無線ＬＡＮ方式の通信で使用する周波数帯と同一であるか否かを判定する妨害電波判定手段と、前記妨害電波判定手段によって前記無線ＬＡＮ方式の通信で使用する周波数帯と同一であると判定された場合に、当該無線ＬＡＮアクセスポイント装置の設置者に対して電波干渉状態であることを通知する電波干渉通知手段とを備えたことを特徴とする。
【００１７】
また、本発明に係る無線ＬＡＮアクセスポイント装置制御方法は、無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置にあって、前記無線ＬＡＮアンテナとは別に妨害電波を受信する妨害電波受信アンテナを有すると共に、当該妨害電波受信アンテナで受信した妨害電波の周波数帯を周波数帯特定手段が特定し、前記周波数帯特定手段で特定した周波数帯は前記無線ＬＡＮ方式の通信で使用する周波数帯と同一であるか否かを妨害電波判定手段が判定し、前記妨害電波判定手段によって前記無線ＬＡＮ方式の通信で使用する周波数帯と同一であると判定された場合に、当該無線ＬＡＮアクセスポイント装置の設置者に対して電波干渉状態であることを電波干渉通知手段が通知するようにしたことを特徴とする。
【００１８】
更に、本発明に係る無線ＬＡＮアクセスポイント装置制御用プログラムは、無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置にあって、前記無線ＬＡＮアンテナとは別に妨害電波を受信する妨害電波受信アンテナを有すると共に、当該妨害電波受信アンテナで受信した妨害電波の周波数帯を特定する周波数帯特定機能、前記周波数帯特定手段で特定した周波数帯は前記無線ＬＡＮ方式の通信で使用する周波数帯と同一であるか否かを判定する妨害電波判定機能、前記妨害電波判定手段によって前記無線ＬＡＮ方式の通信で使用する周波数帯と同一であると判定された場合に、当該無線ＬＡＮアクセスポイント装置の設置者に対して電波干渉状態であることを通知する電波干渉通知機能、を実行可能にプログラム化し、これをコンピュータに実現させるようにしたことを特徴とする。
【発明の効果】
【００１９】
本発明は上述したように構成したので、これによると、妨害電波検出手段が無線ＬＡＮ通信で使用する周波数帯を含んだ電波を受信すると共にこの受信した電波の周波数帯を特定し、この特定した周波数帯は無線ＬＡＮで使用する周波数帯であるか否か妨害電波判定手段が判定し、妨害電波判定手段による判定の結果、無線ＬＡＮで使用するものであった場合には無線ＬＡＮアクセスポイント装置を設置する設置者に対して電波干渉状態であることを電波干渉通知手段が通知することによって、情報端末と通信を行わずに設置場所の電波干渉状態を設置者に通知することができる優れた無線ＬＡＮアクセスポイント装置、無線ＬＡＮアクセスポイント装置制御方法および無線ＬＡＮアクセスポイント装置制御用プログラムを提供することができる。
【図面の簡単な説明】
【００２０】
【図１】本発明に係る無線ＬＡＮアクセスポイント装置１０の第１実施形態を示すブロック図である。
【図２】図１に開示したブロック図における妨害電波検出手段３０の内容を示したブロック図である。
【図３】図１に開示したブロック図における各ブロックの内容を詳細に示したブロック図である。
【図４】図１に開示した無線ＬＡＮアクセスポイント装置１０における全体の動作の概要を示したフローチャートである。
【図５】本発明に係る無線ＬＡＮアクセスポイント装置１０の第２実施形態を示すブロック図である。
【図６】図５に開示したブロック図における各ブロックの内容を詳細に示したブロック図である。
【図７】図５に開示した無線ＬＡＮアクセスポイント装置１０における全体の動作の概要を示したフローチャートである。
【図８】本発明に係る無線ＬＡＮアクセスポイント装置１０の表示手段６０の一例を示した図であり、（Ａ）図１に開示したブロック図における表示手段６０を説明した図、（Ｂ）図５に開示した表示手段６０を説明した図である。
【発明を実施するための形態】
【００２１】
〔第１実施形態〕
以下、本発明に係る無線ＬＡＮアクセスポイント装置１０の第１実施形態を、図１乃至図３、および図８（Ａ）に基づいて説明する。
【００２２】
まず最初に、本実施形態の無線ＬＡＮアクセスポイント装置１０の基本的内容を図１および図２に基づいて説明する。
【００２３】
無線ＬＡＮ（Local Area Network）アクセスポイント装置１０は、無線ＬＡＮアンテナ２１、無線ＬＡＮ通信手段２０、通信内容処理手段４０、妨害電波受信アンテナ３１、妨害電波検出手段３０、主制御手段５０および表示手段６０から構成されている。
【００２４】
前述の妨害電波検出手段３０では、無線ＬＡＮアクセスポイント装置１０が周囲から受けている電波を妨害電波受信アンテナ３１で受信し、この妨害電波検出手段３０で受信した電波を解析し、周囲電波情報を出力する機能を有している。
【００２５】
また、主制御手段５０は、妨害電波検出手段３０と接続され、この妨害電波検出手段３０から出力された周囲電波情報を受信する機能を有している。さらに、主制御手段５０において、受信した周囲電波情報から無線ＬＡＮで使用する周波数帯の電波であるか判断する。
【００２６】
前述の電波が無線ＬＡＮで使用する周波数帯の場合は、電波干渉アラーム信号を出力すし、表示手段６０は電波干渉アラーム信号を受けて、無線ＬＡＮアクセスポイント装置１０が他の電子機器の発する電波と電波干渉を起こす状態であることを外部に表示する機能を有している。
【００２７】
さらに、主制御手段５０において、無線ＬＡＮ通信信号と判定できる場合は、無線ＬＡＮ使用中信号を発生する機能を有している。また、表示手段６０は前述の無線ＬＡＮ使用中信号を受けて、近くで無線ＬＡＮ通信を使用している状態であることを外部に表示する。この表示手段６０の具体的な構成の一例は、図６（Ａ）に示すように主制御手段５０からのアラーム信号などを受信して発光する発光ダイオードである。
【００２８】
次に妨害電波検出手段３０の構成について説明する。図２は、妨害電波検出手段３０の構成の一例を示すブロック図である。図２に示すように、妨害電波検出手段３０は、少なくても、受信用の妨害電波受信アンテナ３１、フィルタ３２Ａ、ミキサ３２Ｂ、ローカルオシレータ３２Ｃ、バンドパスフィルタ３２Ｄ、検波器３２Ｅ、Ａ／Ｄ変換器３２Ｆと電波検出側通信制御部３３などから構成されている。
【００２９】
これにより、妨害電波受信アンテナ３１により周囲から無線ＬＡＮアクセスポイント装置１０が受けている電波を受信し、フィルタ３２Ａによりおおまかに選別する。次にミキサ３２Ｂで中間周波数に変換された後、バンドパスフィルタ３２Ｄで必要な信号を通過させた後、検波器３２Ｅによって信号を検出し、Ａ／Ｄ変換器３２Ｆを通して電波検出側通信制御部３３に出力される。また、この電波検出側通信制御部３３では、予め設定された値によって電波の周波数や信号の種類を判定する機能を有している。
【００３０】
この上記内容において、妨害電波検出手段３０は、無線ＬＡＮアクセスポイント装置１０が周囲から受ける電波を妨害電波受信アンテナ３１によって受信し、この受信した電波の周波数を解析し、解析結果を主制御手段５０に出力するようになっている。
【００３１】
また、前述した解析結果を主制御手段５０にて無線ＬＡＮ通信で使用する帯域か否か判断し、無線ＬＡＮ通信で使用する帯域である場合は、電波干渉アラーム信号を発生し、表示手段６０は主制御手段５０からの電波干渉アラーム信号を受けて、無線ＬＡＮで電波干渉を発生しうる電波状況であることを外部に対して知らせることが可能となる。
【００３２】
さらに、無線ＬＡＮ信号であるか否かを判断して、無線ＬＡＮ信号である場合は、無線ＬＡＮ使用中信号を発生し、表示手段６０では前述した無線ＬＡＮ使用中信号を受けて、近くでユーザが無線ＬＡＮを使用していることを外部に対して知らせることが可能となる。
【００３３】
次に、上記実施形態について、さらに詳細に説明する。
【００３４】
まず、図３に示すように実施形態の無線ＬＡＮアクセスポイント装置１０は、構内通信網（Local Area Network：ＬＡＮ）に接続する情報端末（図示しない）と無線ＬＡＮ方式である所定の周波数帯の電波を使用して通信を行う無線ＬＡＮ通信手段２０と、この無線ＬＡＮ通信手段２０で使用する周波数帯を含んだ電波を受信すると共に受信した電波を解析する妨害電波検出手段３０とを備えている。
【００３５】
さらに無線ＬＡＮアクセスポイント装置１０は、無線ＬＡＮ通信手段２０で送受信する通信内容を処理する通信内容処理手段４０と、無線ＬＡＮアクセスポイント装置１０の動作に係る制御情報を記憶する記憶手段７０と、この記憶手段７０の記憶内容に基づいて無線ＬＡＮアクセスポイント装置１０の動作を制御する主制御手段５０と、無線ＬＡＮアクセスポイント装置１０の通信設定を外部から受け付ける通信設定入力手段８０と、無線ＬＡＮ通信手段２０の通信に影響を及ぼす妨害電波の電波干渉状態を外部に表示する表示手段６０とを備えている。
【００３６】
前述の無線ＬＡＮ通信手段２０は、電波の送受信を行う無線ＬＡＮアンテナ２１と、通信信号を所定の周波数帯の送信電波に変換し無線ＬＡＮアンテナ２１を介して出力する送信部２４と、無線ＬＡＮアンテナ２１を介して受信した受信電波を通信信号に変換する受信部２３と、無線ＬＡＮアンテナ２１を介して行われる送信動作と受信動作とを切り替える送受信切替スイッチ（Ｓ／Ｗ）部２２と、受信部２３、送信部２４および送受信切替Ｓ／Ｗ部２４の動作を制御する無線ＬＡＮ側通信制御部２５とを備えている。
【００３７】
前述した妨害電波検出手段３０は、無線ＬＡＮ方式で使用される周波数帯を含んだ電波を妨害電波受信アンテナ３１を介して受信する受信部３２と、この受信部３２で受信した受信電波を解析すると共に解析した情報を主制御手段５０に伝送する電波検出側通信制御部３３とを備えている。
【００３８】
また、前述の受信部３２は、上述したように妨害電波検出用アンテナ３１で受信した受信電波からノイズを除去するフィルタ３２Ａと、このフィルタ３２Ａを通過した受信電波をローカルオシレータ３２Ｃの発振周波数に基づいて中間周波数に変換するミキサ３２Ａと、無線ＬＡＮ方式の通信で使用する周波数帯に影響を及ぼす周波数帯の電波を抽出するバンドパスフィルタ３２Ｄと、バンドパスフィルタ３２Ｄで抽出した電波から通信信号を検出する検波器３２Ｅと、検波器３２Ｅで検出した通信信号を信号処理用の信号に変換するＡ／Ｄ変換器３２Ｆとを備えている。
【００３９】
さらに、前述の電波検出側通信制御部３３は、Ａ／Ｄ変換器３２Ｆによって変換された信号処理用の信号を解析して妨害電波の周波数帯を特定する周波数帯特定機能３３Ａと、上述の信号処理用の信号から通信方式を特定する通信方式特定機能３３Ｂとを有すると共に、周囲電波情報として主制御手段５０に出力する構成となっている。
【００４０】
前述した主制御手段５０は、電波検出側通信制御部３３から出力される周囲電波情報に基づいて、無線ＬＡＮで使用する周波数帯の電波であるか否か判定する妨害電波判定機能５１と、無線ＬＡＮ方式の通信であるか否か判定する無線ＬＡＮ通信判定機能５２とを有している。
【００４１】
前述した表示手段６０は、妨害電波判定機能５１による判定の結果、無線ＬＡＮ方式の通信で使用する周波数帯であった場合に、この無線ＬＡＮアクセスポイント装置１０の設置者に対して無線ＬＡＮ通信に影響を及ぼす可能性のある電波を検出し、電波干渉状態であることを発光ダイオードの点灯によって通知する電波干渉通知機能６１を有している。
【００４２】
これにより、設置者に対して無線ＬＡＮアクセスポイント装置１０の設置場所が無線ＬＡＮ通信に影響を及ぼす電波干渉を受けているか否か通知することができ、電波干渉通知機能６１が点灯状態の場合に設置場所の移動を促すことができる。
【００４３】
さらに表示手段６０は、無線ＬＡＮ通信判定機能５２による判定の結果、無線ＬＡＮ方式の通信信号であった場合には、設置者に対して近くで無線ＬＡＮ機器による無線ＬＡＮ通信が行われているため電波干渉状態であることを発光ダイオードの点灯によって通知する無線ＬＡＮ信号干渉状態検出機能６２を有している。
【００４４】
これにより、設置者に対して無線ＬＡＮアクセスポイント装置１０の設置場所が他の無線ＬＡＮ機器による無線ＬＡＮ通信によって電波干渉を受けているか否か通知することができ、無線ＬＡＮ機器検出通知機能６２が点灯状態の場合に設置場所の移動を促すことができる。
【００４５】
〔第１位実施形態の動作〕
次に、無線ＬＡＮアクセスポイント装置１０の全体的な動作の基本的内容を図４に基づいて説明する。
【００４６】
まず、妨害電波検出手段３０は、無線ＬＡＮアクセスポイント装置１０が周囲から受ける電波を妨害電波受信アンテナ３１によって受信し、受信した電波の周波数を解析し（図４：ステップＳ１０１〜Ｓ１０３／電波解析工程）、解析結果を主制御手段５０に出力する（図４：ステップＳ１０４／周囲電波情報出力工程）。
【００４７】
続いて、主制御手段５０にて無線ＬＡＮ通信で使用する周波数帯域か判定し（図４：ステップＳ１０５／周波数帯判定工程）、無線ＬＡＮ通信にて使用する周波数帯域である場合は、電波干渉アラーム信号を発生する（図４：ステップＳ１０６／電波干渉アラーム信号出力工程）。
【００４８】
また、表示手段６０は主制御手段５０からの電波干渉アラーム信号を受けて、無線ＬＡＮで電波干渉を発生しうる電波状況であることを外部に知らせる（図４：ステップＳ１０７／電波干渉通知工程）。
【００４９】
さらに、無線ＬＡＮ信号であるかを判定し（図４：ステップＳ１０８／無線ＬＡＮ通信信号判定工程）、無線ＬＡＮ信号である場合は、無線ＬＡＮを使用していることを外部に知らせる（図４：ステップＳ１０９／他の無線ＬＡＮ使用中表示工程）。
【００５０】
次に、上記第１実施形態の動作について、さらに詳細に説明する。
【００５１】
まず最初に、無線ＬＡＮアクセスポイント装置１０の電源が投入され、主制御手段５０によって妨害電波検出手段３０が稼動制御されると、妨害電波検出手段３０は妨害電波受信アンテナ３１を介して妨害電波の受信を開始する（図３：ステップＳ１０１／妨害電波受信工程）。
【００５２】
前述の妨害電波受信アンテナ３１で受信した電波をフィルタ３２Ａによってノイズを除去し、このフィルタ３２Ａを通過した妨害電波をミキサ３２Ａがローカルオシレータ３２Ｃに基づいて中間周波数に変換し、バンドパスフィルタ３２Ｄが無線ＬＡＮ方式の通信で使用する周波数帯に影響を及ぼす周波数帯の電波を抽出し、バンドパスフィルタ３２Ｄで抽出した電波から通信信号を検波器３２Ｅが検出し、検波器３２Ｅで検出した通信信号を信号処理用の信号にＡ／Ｄ変換器３２Ｆが変換する。
【００５３】
これにより、無線ＬＡＮ通信に電波干渉を引き起こす周波数帯の電波を検出することができる。
【００５４】
前述のデジタル信号を受信した電波検出側通信制御部３３は、この受信した信号処理用の信号に基づいて電波を解析し電波の周波数帯を特定する（図３：ステップＳ１０２／周波数帯特定工程）と共にと電波の信号の種類を特定し（図３：ステップＳ１０３／信号種類特定工程）、特定した周波数帯と信号種類とを周囲電波情報として主制御手段５０に出力する（図３：ステップＳ１０４／周囲電波情報出力工程）。
【００５５】
これにより、主制御手段５０は周囲電波情報に基づいて受信した電波の周波数帯が、無線ＬＡＮ通信に電波干渉を引き起こす周波数帯の電波であるか否か判定することができる。
【００５６】
主制御部５０の妨害電波判定高機能５１は、周囲電波情報に基づいて無線ＬＡＮで使用する周波数帯か否か判定し（図３：ステップＳ１０５／周波数帯判定工程）、無線ＬＡＮ通信で使用する周波数帯である場合には表示部６０に妨害電波を検出した旨の電波干渉アラーム信号を出力する（図３：ステップＳ１０６／電波干渉アラーム信号出力工程）。
【００５７】
電波干渉アラーム信号を受信した電波干渉通知機能６１は、発光ダイオード（ＬＥＤ）を発光させ無線ＬＡＮアクセスポイント装置１０を設置する設置者に電波干渉状態であり無線ＬＡＮ通信に影響が発生する可能性があることを知らせる（図３：ステップＳ１０７／電波干渉通知工程）。
【００５８】
これにより、この無線ＬＡＮアクセスポイント装置１０を設置しようとする設置者は無線ＬＡＮアクセスポイント装置１０の設置場所が、通信に適しているか否か判断することができ、電波干渉通知機能６１が点灯している場合は設置場所の変更を促すことができる。
【００５９】
主制御手段５０の無線ＬＡＮ通信判定機能５２は、周囲電波情報に基づいて無線ＬＡＮ通信で使用される通信信号であるか否か判定し（図３：ステップＳ１０８／無線ＬＡＮ通信信号判定工程）、無線ＬＡＮ通信で使用する通信信号である場合には表示部６０に他の無線ＬＡＮ機器が使用中で旨の信号を出力する（図３：ステップＳ１０９／他の無線ＬＡＮ通信信号出力工程）。
【００６０】
この他の無線ＬＡＮ機器使用中信号を受信した他の無線ＬＡＮ使用中表示機能６２は、発光ダイオードを点灯させて近くで他のユーザが無線ＬＡＮを使用していることを表示する（図３：ステップＳ１０９／他の無線ＬＡＮ使用中表示工程）。
【００６１】
ここで、上述した第１実施形態における動作にあって、上記工程で実行される各実行内容をプログラム化し、これをコンピュータに機能させるように構成してもよい。なお、この場合、本プログラムは、非一時的な記録媒体、例えば、ＤＶＤ、ＣＤ、フラッシュメモリなどに記録されてもよい。その場合、本プログラムは、記録媒体からコンピュータによって読み出され、実行される。
【００６２】
（第１実施形態の効果）
以上のように、本第１実施形態では、無線ＬＡＮアンテナ２１とは別に、周囲からの妨害電波を受信する妨害電波受信アンテナ３１と、この妨害電波受信アンテナ３１で受信した妨害電波を解析する妨害電波検出手段３０とを備えることで、無線ＬＡＮ子機と通信を行うことなく、無線ＬＡＮアクセスポイント装置１０自身がどのような妨害電波を受けているかを確認することができ、この無線ＬＡＮアクセスポイント装置１０を設置しようとする設置者に通知することができる。また、無線ＬＡＮアクセスポイント装置１０が妨害電波を受けている場合や電波干渉を引き起こす可能性がある場合には、その旨を設置者に通知し、より電波状況のよい場所への設置を促すことができる。さらに、無線ＬＡＮ通信時に、電波干渉などによって通信品質に問題が発生した場合に、電波干渉が発生していることを通知することにより、通信品質の低下などの原因をユーザに理解してもらうことができる。
【００６３】
〔第２実施形態〕
次に、本発明の第２実施形態の基本的内容を図５に基づいて説明する。ここで、前述した第１実施形態と同一の構成要素については、同一の符号を用いるものとする。
【００６４】
上記図１乃至図３、および図６（Ａ）に開示した第１実施形態にあっては、妨害電波を検出した場合に表示手段６０の妨害電波を検出した旨を通知する発光ダイオードを点灯させ、妨害電波が無線ＬＡＮ通信のものであった場合表示手段６０の無線ＬＡＮが近くで使用されていることを通知する発光ダイオードを点灯させることで設置者に電波干渉状態であるか否かを通知する場合を例示した。
【００６５】
しかしながら、発光ダイオードが点灯または消灯による通知では、無線ＬＡＮ通信にどの程度影響を及ぼす妨害電波を受けているか設置者が判断しづらい場合が多い。
【００６６】
これに対し、本第２実施形態では、図６（Ｂ）に示すように、受信した妨害電波の電波強度を段階的に表示する機能と、他の無線ＬＡＮ機器による無線ＬＡＮ通信で使用されている周波数帯チャンネルを表示する機能とを備えた特徴とする。
【００６７】
図５に示す無線ＬＡＮ通信手段２０と妨害電波検出手段３０とは、どちらも基本的に同等の機能を有する部品から構成されている。妨害電波検出手段３０については、電波を受信するのみで送信は実施しないため、送信用の回路部分である送信部２４、および送受信切替Ｓ／Ｗ部２２は省略されている。
【００６８】
上述したような構成を用いて、無線ＬＡＮ通信手段２０と同等の機能を有する部品を妨害電波検出手段３０でも使用することにより、無線ＬＡＮアクセスポイント装置１０が周囲から受けている電波について、無線ＬＡＮ通信手段２０と同等の感度と解析制度を持たせることができる。
【００６９】
また、既に近くで無線ＬＡＮ通信を使用しているユーザが存在する場合、無線ＬＡＮ通信手段２０を動作させることなく、妨害電波検出手段３０のみで使用されている無線ＬＡＮチャンネルを判定し、このチャンネルを通知することができる。
【００７０】
さらに、電波干渉が発生する可能性がある場合には、周囲からの電波の強度を解析し、数段階に分けて電波干渉レベル信号を発生させる。表示手段６０では、数段階に分けられた電波干渉レベル信号に応じて、電波干渉レベルに段階を設けて表示する。
【００７１】
この電波干渉レベルを参考することにより、ユーザへ電波状態が少しでも良い場所へ無線ＬＡＮアクセスポイント装置１０を設置するように促すことができる。図６（Ｂ）は、表示手段６０の一例であり、電波干渉レベルと無線ＬＡＮの使用中チャンネルなどの電波状態を表示した図である。
【００７２】
この上記内容において、妨害電波検出手段３０は、無線ＬＡＮアクセスポイント装置１０が周囲から受ける電波を受信し、受信した電波の周波数解析を実施し、解析結果を出力するようになっている。
【００７３】
また、前述の解析結果から主制御手段５０は、無線ＬＡＮ信号にて使用する帯域か否か判断し、次に電波の強度解析を実施する。そして電波の強度に応じて数段階の電波干渉レベル信号を出力する。
【００７４】
さらに、無線ＬＡＮ信号であるか否かを判断し、無線ＬＡＮ信号である場合は、使用されている無線ＬＡＮのチャンネルを確認する。この確認したチャンネルを出力することによって使用中チャンネルを通知することが可能となる。
【００７５】
次に、上記第2実施形態について、さらに詳細に説明する。
【００７６】
電波検出側通信制御部３３は、電界強度を特定する電界強度特定機能３３Ｃを有すると共に、この電界強度情報を前述した周囲電波情報に付与して主制御手段５０に出力する機能を有している。
【００７７】
主制御手段部５０は、前述の周囲電波情報に含まれる周波数帯情報に基づいてこの周波数帯の周波数帯チャンネルを特定するチャンネル特定機能５４と、電界強度情報に基づいて予め複数に分類された電波干渉レベルのうちのいづれに属するかを特定する電波干渉レベル特定機能５３とを有している。
【００７８】
さらに、表示手段６０は、前述のするチャンネル特定機能５４によって特定されたチャンネルを図６（Ｂ）に示す２桁の７セグメント表示器で設置者に通知する使用中チャンネル通知機能６４と、電波干渉レベル特定機能５３によって特定された電波干渉レベルを図６（Ｂ）に示すExcellent、Very Good、Good、Average、Poorの５段階に分類された発光ダイオードのうち対応する発光ダイオードを点灯させる電波干渉レベル通知機能６３とを有している。
【００７９】
これにより、設置者は使用中チャンネル通知機能６４の表示されている他の無線ＬＡＮ通信で使用されている周波数帯チャンネルを確認することができ、この周波数帯チャンネル以外の周波数帯チャンネルを使用して無線ＬＡＮ通信を行うように通信設定入力手段８０を介して主制御手段５０に指令することができる。これによって他の無線ＬＡＮ通信による影響を低減させることができる。
【００８０】
また、設置者が電波干渉レベル通知機能６３を参照することにより、少しでも電波干渉を受けづらい場所へ無線ＬＡＮアクセスポイント装置１０の設置を促すことができる。
その他の構成については、前述した第１実施形態と同じである。
【００８１】
〔第２実施形態の動作〕
【００８２】
次に、無線ＬＡＮアクセスポイント装置１０の第２実施形態における動作の基本的内容を図５および図７に基づいて説明する。
【００８３】
まず、妨害電波検出手段３０は、周囲から受ける電波を受信し、電波の周波数解析を実施し（図７：ステップＳ２０１〜Ｓ２０４／受信電波解析工程）、解析結果を出力する（図７：ステップＳ２０５／周囲電波情報出力工程）。
【００８４】
続いて、前述の解析結果から主制御手段５０は、無線ＬＡＮ通信にて使用する周波数帯域か判定し（図７：ステップＳ２０６／周波数帯判定工程）、次に電波の強度解析を実施する（図７：ステップＳ２０７／電界強度解析工程）。
【００８５】
そして、電波の強度に応じて数段階の電波干渉状態レベル信号を出力する。電波干渉状態レベル信号を受けて表示手段６０で電波干渉レベルを通知する（図７：ステップＳ２０８／電波干渉レベル通知工程）。
【００８６】
次に、無線ＬＡＮ信号であるかを判定し（図７：ステップＳ２０９／無線ＬＡＮ通信信号判定工程）、無線ＬＡＮ信号の場合、使用されている無線ＬＡＮチャンネルを確認し、表示手段６０に使用チャンネルを出力して（図７：ステップＳ２１０／周波数帯チャンネル信号出力工程）、使用中チャンネルを通知する（図７：ステップＳ２１１／使用中チャンネル通知工程）。
【００８７】
次に、上記第２実施形態の動作についてさらに詳細に説明する。
【００８８】
まず最初に、無線ＬＡＮアクセスポイント装置１０の電源が投入され主制御手段５０によって妨害電波検出手段３０が稼動制御されると、妨害電波検出手段３０は妨害電波受信アンテナ３１で電波の受信を開始する（図５：ステップＳ２０１／妨害電波受信工程）。
【００８９】
前述の妨害電波受信アンテナ３１で受信した電波をフィルタ３２Ａによってノイズを除去し、このフィルタ３２Ａを通過した妨害電波をミキサ３２Ａがローカルオシレータ３２Ｃに基づいて中間周波数に変換し、バンドパスフィルタ３２Ｄが無線ＬＡＮ方式の通信で使用する周波数帯に影響を及ぼす周波数帯の電波を抽出し、バンドパスフィルタ３２Ｄで抽出した電波から通信信号を検波器３２Ｅが検出し、検波器３２Ｅで検出した通信信号をデジタル信号にＡ／Ｄ変換器３２Ｆが変換する。
【００９０】
続いて、周波数特定機能３３Ａが電波の周波数帯を特定し（図５：ステップＳ２０２／周波数帯特定工程）、通信信号特定機能３３Ｂが信号の種類を特定する（図５：ステップＳ２０３／信号種類特定工程）。
【００９１】
さらに、電界強度特定機能３３Ｃが電界強度を特定し（図５：ステップＳ２０４／電界強度特定工程）、前述の周波数帯、信号の種類および電界強度を周囲電波情報として主制御手段５０に出力する（図５：ステップＳ２０５／周囲電波情報出力工程）。
【００９２】
主制御手段５０は取得した周囲電波情報を解析し、妨害電波判定機能５１が周囲電波情報の周波数帯は無線ＬＡＮで使用するものであるか否か判定する（図５：ステップＳ２０６／周波数帯判定工程）。
【００９３】
続いて、妨害電波判定機能５１によって無線ＬＡＮで使用する周波数帯であると判定された場合に、電波干渉レベル特定機能５４が周囲電波情報の電界強度は、予め複数に分類された電波干渉レベルのうちのいずれに属するかを特定し（図５：ステップＳ２０７／電界強度解析）、特定した電波干渉レベルに対応する発光ダイオードを点灯させるように表示手段６０を制御する。
【００９４】
電波干渉レベル通知機能６３は、電波干渉レベル特定機能５４によって特定された電波干渉レベルの発光ダイオードを点灯させ設置者に電波干渉レベルを通知する（図５：ステップＳ２０８／電波干渉レベル通知工程）。
【００９５】
これによって、設置者は無線ＬＡＮアクセスポイント装置１０の設置した場所において、他の電子機器による妨害電波によって無線ＬＡＮ通信にどの程度影響を受けるかを知ることができる。
【００９６】
また、無線ＬＡＮアクセスポイント装置１０の設置場所の変更に際し設置者に対して、電波干渉レベル通知機能６３を参照することにより、さらに電波干渉レベルの良好（図６（Ｂ）のExcellent）な場所への設置を促すことができる。
【００９７】
続いて、無線ＬＡＮ通信判定機能５２が、周囲電波情報の通信信号の種類は無線ＬＡＮ通信で使用されるものであるか否か判定する（図５：ステップＳ２０９／無線ＬＡＮ通信信号判定工程）。
【００９８】
無線ＬＡＮ通信判定機能５２によって無線ＬＡＮ通信で使用する通信信号であると判定された場合に、チャンネル特定機能５３が周囲電波情報の周波数帯の周波数帯チャンネルを特定し、特定した周波数帯チャンネルを表示するように表示手段６０を制御する（図５：ステップＳ２１０／周波数帯チャンネル信号出力工程）。
【００９９】
使用中チャンネル通知機能６４は、チャンネル特定機能５３によって特定されたチャンネル数を図６（Ｂ）に示すように２桁の７セグメント表示によって通知する（図５：ステップＳ２１１／使用中チャンネル通知工程）。
【０１００】
これにより、他の無線ＬＡＮ機器によって既に使用されている周波数帯チャンネル以外の周波数帯チャンネルを選択するように設置者に促すことができる、
【０１０１】
ここで、妨害電波検出手段３０の受信部３２を無線ＬＡＮ通信手段２０の受信部２３とを同等のものを使用すると共に、妨害電波受信アンテナ３１を無線ＬＡＮアンテナ２１と同等のものを使用することによって、妨害電波の受信感度を無線ＬＡＮ通信のものと同等にすることができる。
【０１０２】
また、上述した第２実施形態における動作にあって、上記工程で実行される各実行内容をプログラム化し、これをコンピュータに機能させるように構成してもよい。なお、この場合、本プログラムは、非一時的な記録媒体、例えば、ＤＶＤ、ＣＤ、フラッシュメモリなどに記録されてもよい。その場合、本プログラムは、記録媒体からコンピュータによって読み出され、実行される。
【０１０３】
（第２実施形態の効果）
このように、電界強度特定機能３３Ｃが電界強度を特定し、特定した電界強度に対応する電波干渉レベルを電波干渉レベル特定機能５３が特定し、特定した電波干渉レベルを電波干渉レベル通知機能６３が設置者に通知する。これによって、電波干渉レベルの度合いを設置者が確認することができると共に、より電波干渉レベルの低い場所へ無線ＬＡＮアクセスポイント装置１０を設置するように促すことができる。また、周波数帯特定機能３３Ａで特定した周波数帯に基づいて周波数帯チャンネル判定機能５４が周波数帯チャンネルを特定し、特定した周波数帯チャンネルを使用中チャンネル通知機能６４で設置者に通知する。これによって、他の無線ＬＡＮ機器による無線ＬＡＮ通信で使用されている周波数帯チャンネルを設置者が確認することができ、無線ＬＡＮ通信を行う際に、使用中チャンネル通知機能６４に通知されている周波数帯チャンネル以外の周波数帯チャンネルを使用して通信を行うように設置者に促すことができる。その他の構成およびその作用効果については、前述した第１実施形態と同じである。
【０１０４】
〔その他の実施形態〕
上述したように、第１実施形態および第２実施形態では、妨害電波を妨害電波受信アンテナ３１で受信するように構成した。これに対し、無線ＬＡＮ通信手段２０の送受信切替Ｓ／Ｗ部２２と受信部２３との間に受信電波を分配する分配器を備え、無線ＬＡＮアンテナ２１で受信した電波を分配器を介して妨害電波検出手段３０の受信部３２に伝送するように構成することで、無線ＬＡＮアンテナ２１で妨害電波を受信し電波干渉状態を検出することができる。このように構成することで妨害電波受信アンテナ３１は不要となり無線ＬＡＮアクセスポイント装置の製造コストを削減することができる。このようにしても、前述した第１実施形態および第２実施形態と同等の作用効果を備えた無線ＬＡＮアクセスポイント装置を得ることができる。
【０１０５】
上述した実施形態については、その新規な技術的内容の要点をまとめると、以下の付記のようになる。
尚、上記実施形態の一部又は全部は、新規な技術として以下のようにまとめられるが、本発明は必ずしもこれに限定されるものではない。
【０１０６】
（付記１）無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置において、
前記無線ＬＡＮアンテナとは別に妨害電波を受信する妨害電波受信アンテナを有すると共に、当該妨害電波受信アンテナで受信した妨害電波の周波数帯を特定する周波数帯特定手段と、
前記周波数帯特定手段で特定した周波数帯は前記無線ＬＡＮ方式の通信で使用する周波数帯と同一であるか否かを判定する妨害電波判定手段と、
前記妨害電波判定手段によって前記無線ＬＡＮ方式の通信で使用する周波数帯と同一であると判定された場合に、当該無線ＬＡＮアクセスポイント装置の設置者に対して電波干渉状態であることを通知する電波干渉通知手段とを備えたことを特徴とする無線ＬＡＮアクセスポイント装置。
【０１０７】
（付記２）付記１に記載の無線ＬＡＮアクセスポイント装置において、
前記周波数特定手段に、前記妨害電波受信アンテナで受信した妨害電波を信号処理用の通信信号に変換し当該通信信号に基づいて通信方式の種類を特定する通信方式特定手段を併設すると共に、
前記妨害電波判定手段が、前記通信方式特定手段によって特定された通信方式の種類が無線ＬＡＮ方式であるか否かを判定する無線ＬＡＮ通信判定機能を有し、
前記電波干渉通知手段は、前記通信信号が前記無線ＬＡＮ通信判定機能によって無線ＬＡＮ方式であると判定された場合に前記設置者に対して他の無線ＬＡＮ機器の通信によって電波干渉状態であることを通知する無線ＬＡＮ信号干渉状態検出機能を有することを特徴とする無線ＬＡＮアクセスポイント装置。
【０１０８】
（付記３）付記２に記載の無線ＬＡＮアクセスポイント装置において、
前記妨害電波判定手段は、前記無線ＬＡＮ通信判定機能が前記妨害電波の種類を無線ＬＡＮ方式と判定した場合に、前記周波数特定手段で特定した周波数帯に基づいて周波数チャンネルを特定する周波数チャンネル特定機能を有すると共に、
前記電波干渉通知手段は、前記特定した周波数チャンネルが他の無線ＬＡＮ機器によって既に使用されていることを前記設置者に通知する使用中チャンネル通知機能を有することを特徴とする無線ＬＡＮアクセスポイント装置。
【０１０９】
（付記４）付記１に記載の無線ＬＡＮアクセスポイント装置において、
前記周波数特定手段に、前記受信した妨害電波の電界強度を特定する電界強度特定手段を併設すると共に、
前記妨害電波判定手段は、前記特定された電界強度が予め電界強度ごとに複数に分類された電波干渉レベルのうちのいずれに属するかを特定する電波干渉レベル特定機能を有し、
前記電波干渉通知手段は前記特定された電波干渉レベルを前記設置者に通知する電波干渉レベル通知機能を有することを特徴とする無線ＬＡＮアクセスポイント装置。
【０１１０】
（付記５）無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置にあって、
前記無線ＬＡＮアンテナとは別に妨害電波を受信する妨害電波受信アンテナを有すると共に、当該妨害電波受信アンテナで受信した妨害電波の周波数帯を周波数帯特定手段が特定し、
前記周波数帯特定手段で特定した周波数帯は前記無線ＬＡＮ方式の通信で使用する周波数帯と同一であるか否かを妨害電波判定手段が判定し、
前記妨害電波判定手段によって前記無線ＬＡＮ方式の通信で使用する周波数帯と同一であると判定された場合に、当該無線ＬＡＮアクセスポイント装置の設置者に対して電波干渉状態であることを電波干渉通知手段が通知するようにしたことを特徴とする無線ＬＡＮアクセスポイント装置制御方法。
【０１１１】
（付記６）無線ＬＡＮ方式の電波を送受信する無線ＬＡＮアンテナを有すると共に当該無線ＬＡＮ方式の電波を使用して特定の情報端末と通信を行う無線ＬＡＮ通信手段を備えた無線ＬＡＮアクセスポイント装置にあって、
前記無線ＬＡＮアンテナとは別に妨害電波を受信する妨害電波受信アンテナを有すると共に、当該妨害電波受信アンテナで受信した妨害電波の周波数帯を特定する周波数帯特定機能、
前記周波数帯特定手段で特定した周波数帯は前記無線ＬＡＮ方式の通信で使用する周波数帯と同一であるか否かを判定する妨害電波判定機能、
前記妨害電波判定手段によって前記無線ＬＡＮ方式の通信で使用する周波数帯と同一であると判定された場合に、当該無線ＬＡＮアクセスポイント装置の設置者に対して電波干渉状態であることを通知する電波干渉通知機能、
を実行可能にプログラム化し、これをコンピュータに実現させるようにしたことを特徴とする無線ＬＡＮアクセスポイント装置制御用プログラム。
【産業上の利用可能性】
【０１１２】
本発明は、無線ＬＡＮを使用して通信を行う無線ＬＡＮ機器に応用することが可能である。
【符号の説明】
【０１１３】
１０  無線ＬＡＮアクセスポイント装置
２０  無線ＬＡＮ通信手段
２１  無線ＬＡＮアンテナ
３０  妨害電波検出手段
３１  妨害電波受信アンテナ
３３Ａ  周波数帯特定機能
３３Ｂ  通信信号変換機能
３３Ｃ  電界強度特定機能
５０  主制御手段
５１  妨害電波判定機能
５２  無線ＬＡＮ通信判定機能
５３  チャンネル特定機能
５４  電波干渉レベル特定機能
６０  表示部
６１  電波干渉通知機能
６２  無線ＬＡＮ信号干渉状態検出機能
６３  電波干渉レベル通知機能
６４  使用中チャンネル通知機能
【図１】
2012109833.tif 000003
【図２】
2012109833.tif 000004
【図３】
2012109833.tif 000005
【図４】
2012109833.tif 000006
【図５】
2012109833.tif 000007
【図６】
2012109833.tif 000008
【図７】
2012109833.tif 000009
【図８】
2012109833.tif 000010